(57)【要約】【課題】チケットの不正使用の抑制及びチケットの管理の適正化を図り得る、チケット管理装置、チケット管理システム、チケット管理方法、及びプログラムを提供する。【解決手段】チケット管理装置１０は、チケットを発行するチケット発行端末２０から、発行予定のチケットとなるチケット用紙に予め付加されている番号を取得する、チケット番号取得部１１と、発行予定のチケットに付加されているべき番号を算出する、チケット番号算出部１２と、取得された番号と算出された番号とを比較して、一致しているかどうかを判定する、チケット番号検査部１３と、一致していると判定された場合に、チケット発行端末２０に対して、発行予定のチケットの発行の許可を通知する、検査結果通知部１４とを備えている。【選択図】図１
2018073062.tif 000002
【特許請求の範囲】
【請求項１】
チケットを発行する端末装置から、発行予定のチケットとなるチケット用紙に予め付加されている番号を取得する、チケット番号取得部と、
前記発行予定のチケットに付加されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、ことを特徴とするチケット管理装置。
【請求項２】
発行が許可されたチケットとなるチケット用紙に予め付加されている前記番号を格納する、チケット番号格納部を更に備え、
前記チケット番号検査部が、一致していると判定した場合に、取得された前記番号が、前記番号格納部に格納されているかどうかを判定し、
前記検査結果通知部は、一致していると判定され、更に、格納されていないと判定された場合に、前記端末装置に対して、前記発行予定のチケットの発行の許可を通知する、
請求項１に記載のチケット管理装置。
【請求項３】
前記チケット番号算出部は、既に算出している最新の番号を用いたルールに沿って、前記発行予定のチケットに付加されているべき番号を算出する、
請求項１または２に記載のチケット管理装置。
【請求項４】
チケットを発行する端末装置と、チケット管理装置とを備え、
前記チケット管理装置は、
前記端末装置から、発行予定のチケットが印刷されるチケット用紙に予め印刷されている番号を取得する、チケット番号取得部と、
前記発行予定のチケットに印刷されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、
ことを特徴とするチケット管理システム。
【請求項５】
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を有する、ことを特徴とするチケット管理方法。
【請求項６】
（ｅ）発行が許可されたチケットとなるチケット用紙に予め付加されている前記番号を格納する、ステップと、
（ｆ）前記（ｃ）のステップで一致していると判定した場合に、前記（ａ）のステップで取得された前記番号が、前記（ｅ）のステップで格納されているかどうかを判定する、ステップと、を更に有し、
前記（ｄ）のステップにおいて、一致していると判定され、更に、前記（ｆ）のステップでは格納されていないと判定された場合に、前記端末装置に対して、前記発行予定のチケットの発行の許可を通知する、
請求項５に記載のチケット管理方法。
【請求項７】
前記（ｂ）のステップにおいて、既に算出している最新の番号を用いたルールに沿って、前記発行予定のチケットに付加されているべき番号を算出する、
請求項５または６に記載のチケット管理方法。
【請求項８】
コンピュータに、
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を実行させる、プログラム。
【請求項９】
前記コンピュータに、
（ｅ）発行が許可されたチケットとなるチケット用紙に予め付加されている前記番号を格納する、ステップと、
（ｆ）前記（ｃ）のステップで一致していると判定した場合に、前記（ａ）のステップで取得された前記番号が、前記（ｅ）のステップで格納されているかどうかを判定する、ステップと、を更に実行させ、
前記（ｄ）のステップにおいて、一致していると判定され、更に、前記（ｆ）のステップでは格納されていないと判定された場合に、前記端末装置に対して、前記発行予定のチケットの発行の許可を通知する、
請求項８に記載のプログラム。
【請求項１０】
前記（ｂ）のステップにおいて、既に算出している最新の番号を用いたルールに沿って、前記発行予定のチケットに付加されているべき番号を算出する、
請求項８または９に記載のプログラム。
【発明の詳細な説明】
【技術分野】
【０００１】
本発明は、チケット発行端末から発行されるチケットを管理するための、チケット管理装置、チケット管理システム、及びチケット管理方法に関し、更には、これらを実現するためのプログラムに関する。
【背景技術】
【０００２】
近年、映画、コンサート、スポーツ観戦、レジャー施設等のチケットの多くは、コンビニエンスストア等に導入されたチケット発行システムから、購入することが可能となっている。このようなチケット発行システムによれば、ユーザは、自宅又は職場の近くにおいて、予めチケットを購入できるので、当日チケット売場で並んだり、希望の席を取れなかったり、といったことを回避できる。
【０００３】
ここで、従来からのチケット発行システムの一例について説明する。特許文献１は、従来からのチケット発行システムの一例を開示している。特許文献１に開示されたチケット発行システムは、店舗に配置されるチケット発行端末と、店舗から離れた所に設置されている管理用のサーバとで構成されている。
【０００４】
そして、特許文献１に開示されたチケット発行システムでは、チケット発行端末は、ロール状に巻き込まれたチケット用紙を備えている。チケット用紙は、所定の長さで切断されてチケットとなるため、その裏面には、所定の間隔で、予め裏面番号が印刷されている。チケット発行端末は、ユーザによって入力が行なわれてチケットの発行が要求されると、チケット用紙の裏面番号を読み取り、読み取った裏面番号とユーザ入力データとをサーバに送信する。
【０００５】
サーバは、裏面番号とユーザ入力データとを受信すると、識別番号を発行し、発行した識別番号と受信した裏面番号及びユーザ入力データとを紐付け、これらを登録する。また、サーバは、ユーザ入力データと識別番号とをチケット発行端末に返却する。その後、チケット発行端末は、ユーザ入力データと識別番号とを、チケット用紙に印刷し、印刷された部分を切断し、切断片をチケットとして排出する。
【０００６】
特許文献１に開示されたチケット発行システムでは、チケットには、識別番号に加えて、裏面番号が印刷されているので、識別番号が識別できなくなった場合でも、チケットのユーザを特定でき、チケットを管理することができる。
【先行技術文献】
【特許文献】
【０００７】
【特許文献１】特許第３３７４７５５号
【発明の概要】
【発明が解決しようとする課題】
【０００８】
しかしながら、上記特許文献１に開示されているチケット発行システムでは、チケット用紙に予め印刷されている裏面番号を読み取って、これをサーバに通知しているだけである。このため、上記特許文献１に開示されているチケット発行システムには、チケット用紙への裏面番号の印刷時に、印字が誤っていたり、同じ裏面番号が存在していたりした場合に、これらのことを検出できないので、チケットを管理することができないという問題がある。
【０００９】
また、上記特許文献１に開示されているチケット発行システムでは、一部のチケット用紙がチケット発行端末から物理的に抜き取られた場合であっても、チケットは発行されてしまう。このため、上記特許文献１に開示されているチケット発行システムには、チケット用紙の抜き取りを発見することが難しいという問題もある。
【００１０】
本発明の目的の一例は、上記問題を解消し、チケットの不正使用の抑制及びチケットの管理の適正化を図り得る、チケット管理装置、チケット管理システム、チケット管理方法、及びプログラムを提供することにある。
【課題を解決するための手段】
【００１１】
上記目的を達成するため、本発明の一側面におけるチケット管理装置は、
チケットを発行する端末装置から、発行予定のチケットとなるチケット用紙に予め付加されている番号を取得する、チケット番号取得部と、
前記発行予定のチケットに付加されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、ことを特徴とする。
【００１２】
また、上記目的を達成するため、本発明の一側面におけるチケット管理システムは、チケットを発行する端末装置と、チケット管理装置とを備え、
前記チケット管理装置は、
前記端末装置から、発行予定のチケットが印刷されるチケット用紙に予め印刷されている番号を取得する、チケット番号取得部と、
前記発行予定のチケットに印刷されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、ことを特徴とする。
【００１３】
更に、上記目的を達成するため、本発明の一側面におけるチケット管理方法は、
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を有する、ことを特徴とする。
【００１４】
加えて、上記目的を達成するため、本発明の一側面におけるプログラムは、
コンピュータに、
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を実行させることを特徴とする。
【発明の効果】
【００１５】
以上のように、本発明によれば、チケットの不正使用の抑制及びチケットの管理の適正化を図ることができる。
【図面の簡単な説明】
【００１６】
【図１】図１は、本発明の実施の形態におけるチケット管理装置及びチケット管理システムの概略構成を示すブロック図である。
【図２】図２は、本発明の実施の形態におけるチケット管理装置及びチケット管理システムの概略構成を示すブロック図である。
【図３】図３は、本発明の実施の形態においてチケット番号格納部に格納されている番号の一例を示す図である。
【図４】図４は、本発明の実施の形態におけるチケット管理装置の動作を示すフロー図である。
【図５】図５は、本発明の実施の形態におけるチケット管理装置を実現するコンピュータの一例を示すブロック図である。
【発明を実施するための形態】
【００１７】
（実施の形態）
以下、本発明の実施の形態における、チケット管理装置、チケット管理システム、チケット管理方法及びプログラムについて、図１〜図５を参照しながら説明する。
【００１８】
［装置構成及びシステム構成］
最初に、本実施の形態におけるチケット管理装置及びチケット管理システムの構成について図１を用いて説明する。図１は、本発明の実施の形態におけるチケット管理装置及びチケット管理システムの概略構成を示すブロック図である。
【００１９】
図１に示すように、本実施の形態におけるチケット管理システム４０は、チケット管理装置１０と、チケットを発行する端末装置２０（以下「チケット発行端末」と表記する。）とを備えている。また、図１に示すように、チケット管理装置１０と、チケット発行端末２０とは、インターネット等のネットワーク３０を介して接続されている。
【００２０】
更に、図１に示すように、チケット管理装置１０は、チケット番号取得部１１と、チケット番号算出部１２と、チケット番号検査部１３と、検査結果通知部１４とを備えている。
【００２１】
チケット番号取得部１１は、チケット発行端末２０から、発行予定のチケットとなるチケット用紙に予め付加されている番号（以下「プレ付加番号」と表記する。）を取得する。チケット番号算出部１２は、発行予定のチケットに付加されているべき番号（以下「算出番号」と表記する。）を算出する。
【００２２】
チケット番号検査部１３は、チケット番号取得部１１によって取得されたプレ付加番号と、チケット番号算出部１２によって算出された算出番号とを比較して、一致しているかどうかを判定する。検査結果通知部１４は、チケット番号検査部１３によって一致していると判定された場合に、チケット発行端末２０に対して、発行予定のチケットの発行の許可を通知する。
【００２３】
このように、チケット管理装置１０は、チケットに付加されているべき予定番号を算出し、算出した予定番号が、チケット用紙に実際に予め付加されている番号と一致しているかどうかを判定する。このため、チケット管理装置１０によれば、チケット用紙に予め付加されている番号に誤りがあったり、同じ番号が重複していたりすると、一致しないと判定されるので、このような事態が検出される。また、同様に、チケット管理装置１０によれば、チケット用紙が抜き採られた場合にも、一致しないと判定されるので、チケット用紙の抜き取りの検出も可能となる。従って、本実施の形態によれば、チケットの不正使用の抑制とチケットの管理の適正化とが図られることになる。
【００２４】
続いて、図２を用いて、本実施の形態におけるチケット管理装置１０及びチケット管理システム４０の構成をより具体的に説明する。図２は、本発明の実施の形態におけるチケット管理装置及びチケット管理システムの概略構成を示すブロック図である。
【００２５】
図２に示すように、本実施の形態では、チケット管理装置１０は、複数のチケット発行端末２０を管理している。図２の例では、１つのチケット発行端末２０の構成のみが具体的に示されているが、他のチケット発行端末２０の構成もこれと同様である。
【００２６】
図２に示すように、チケット発行端末２０は、チケット用紙供給部２１と、読取部２２と、チケット番号通知部２３と、検査結果取得部２４と、印字内容通知部２５と、印刷部２６と、チケットを排出するための排出口２７とを備えている。
【００２７】
チケット用紙供給部２１は、ロール状に巻き取られたチケット用紙２８を備え、このロール状のチケット用紙２８を回転させることによって、チケット用紙２８を読取部２２及び印刷部２６に供給する。チケット用紙２８には、通しの番号が設定間隔で予め付加されている。また、チケット用紙２８への番号の付加は、番号を示す数字又は文字を印刷することによって行なわれていても良いし、番号を表す２次元コードを印刷することによって行なわれていても良い。なお、この場合の印刷には、番号等が印刷されたシールを貼付することも含まれる。
【００２８】
なお、チケット用紙２８は、ロール状に限定されず、短冊状であっても良い。この場合は、チケット用紙供給部２１は、短冊状のチケット用紙を一枚ずつ読取部２２及び印刷部２６に供給する。
【００２９】
読取部２２は、チケット用紙２８に予め印刷されている数字、文字又は２次元コードを読み取って、プレ付加番号を特定する。具体的には、読取部２２は、光源及び受光素子を有する光学式のスキャナーである。また、読取部２２は、読取によって特定したプレ付加番号をチケット番号通知部２３に渡す。
【００３０】
また、本実施の形態では、プレ付加番号を特定するための、数字、文字、又は２次元コードは、チケット用紙の表面のみ、裏面のみ、表面と裏面との両方のいずれに印刷されていても良く、読取部２２の構成は、印刷されている部位に応じた構成とすれば良い。また、数字、文字、又は２次元コードが、表面と裏面との両方に印刷されている場合は、番号は、表面と裏面とで異なっていても良い。この場合、予め付加される番号は２種類となる。
【００３１】
チケット番号通知部２３は、読取部２２から、特定されたプレ付加番号を受け取ると、ネットワーク３０を介して、特定されたプレ付加番号を、チケット管理装置１０のチケット番号取得部１１に通知する。
【００３２】
検査結果取得部２４は、後述するチケット管理装置１０の検査結果通知部１４から、番号（プレ付加番号）の検査結果を受け取り、受け取った検査結果を、印字内容通知部２５に引き渡す。印字内容通知部２５は、検査結果取得部２４より検査結果を受け取ると、先に保持していた申込内容などの印字要求内容と受け取った検査結果とを印刷部２６に引き渡す。
【００３３】
印刷部２６は、印字内容通知部２５より、申込内容などの印字要求内容と検査結果とを受け取る。そして、印刷部２６は、検査結果が「チケット番号は未使用」であることを示している場合、申込内容などの印字要求内容をチケット用紙２８に印字し、印字した部分を排出口２７から排出する。なお、チケット用紙２８が、上述したように、ロール状の連続した用紙である場合は、印刷部２６は、チケット用紙２８を所定の長さで切り取り、切り取った部分をチケット２９として排出する。
【００３４】
一方、印刷部２６は、番号の検査結果が「チケット番号は未使用以外（使用済）」であることを示している場合は、チケット用紙に申込内容などの印字要求内容を印字することはなく、チケット２９を排出口２７から排出することもない。
【００３５】
また、図２に示すように、本実施の形態では、チケット管理装置１０は、チケット番号取得部１１、チケット番号算出部１２、チケット番号検査部１３、及び検査結果通知部１４に加えて、チケット番号登録部１５と、チケット番号格納部１６とを更に備えている。
【００３６】
チケット番号取得部１１は、本実施の形態では、ネットワーク３０を介して、チケット発行端末２０のチケット番号通知部２３から、読取部２２で特定された番号（プレ付加番号）を取得する。そして、チケット番号取得部１１は、取得した通知番号をチケット番号算出部１２に引き渡す。
【００３７】
チケット番号算出部１２は、本実施の形態では、チケット番号取得部１１からプレ付加番号を受け取ると、予め設定されているルールに沿って算出番号を算出する。このとき、用いられるルールとしては、既に算出している最新の算出番号を用いたルール、例えば、最新の算出番号の値に１を加算することを規定したルールが挙げられる。また、ルールとしては、複雑な数式を用いたルール、例えば、最新の算出番号の値を１０で除算し、除算後の値に２０を乗算し、乗算後の値に３を加算することを規定したルールも挙げられる。
【００３８】
そして、チケット番号算出部１２は、チケット番号取得部１１から受け取ったプレ付加番号と、ルールを用いて算出した算出番号とを比較し、比較の結果、両者が一致する場合は、受け取ったプレ付加番号を、チケット番号検査部１３に引き渡す。一方、チケット番号算出部１２は、比較の結果、両者が一致しない場合は、「チケット番号が不一致」であることを示す検査結果を、検査結果通知部１４に引き渡す。具体的には、例えば、「チケット番号が不一致」であることが「０」に設定されているとすると、チケット番号算出部１２は、検査結果通知部１４に対して、「チケット番号が不一致」であることを示す検査結果として「０」を出力する。
【００３９】
チケット番号検査部１３は、本実施の形態では、チケット番号算出部１２から通知番号を受け取ると、まず、受け取った通知番号がチケット番号格納部１６に格納されているかどうかを判定する。受け取った通知番号がチケット番号格納部１６に格納されていない場合は、チケット番号検査部１３は、「チケット番号は未使用」であることを示す検査結果を、検査結果通知部１４に引き渡す。
【００４０】
また、この場合、チケット番号検査部１３は、受け取った通知番号をチケット番号登録部１５に引き渡す。これにより、チケット番号登録部１５は、チケット番号検査部１３から受け取ったプレ付加番号を、チケット番号格納部１６に格納させる。また、チケット番号登録部１５は、算出番号もチケット格納部１６に格納させても良い。これにより、チケット番号算出部１２で一致していると判定されたプレ付加番号は、チケット番号格納部１６に登録されることになる。
【００４１】
一方、チケット番号検査部１３は、受け取った通知番号がチケット番号格納部１６に格納されている場合は、「プレ付加番号は登録済である」ことを示す検査結果を、検査結果通知部１４に引き渡す。
【００４２】
検査結果通知部１４は、チケット番号算出部１２又はチケット番号検査部１３から検査結果の値を受け取ると、受け取った検査結果を、ネットワーク３０を介して、チケット発行端末２０に送信する。具体的には、検定結果の内容に応じて値が設定されているので、検査結果通知部１４は、受け取った検査結果の値を、チケット発行端末２０の検査結果取得部２４に引き渡す。
【００４３】
ここで、図３を用いて、チケット番号格納部１６に格納されている番号について説明する。図３は、本発明の実施の形態においてチケット番号格納部に格納されている番号の一例を示す図である。図３の例では、チケット番号格納部１６には、プレ付加番号が通知された日時と共に、該当するプレ付加番号と、その際に算出された算出番号とが格納されている。
【００４４】
このように、本実施の形態では、チケット管理装置１０によって、既に使用された番号が登録され、チケット用紙に申込内容などの印字要求内容が印字される前に、チケット用紙に付加されている番号が、既に登録されているかどうかが判定される。このため、既に使用された番号であるかがチェックされるので、既に使用された番号が付加されたチケットの発行が回避される。この結果、番号の算出処理と共に、番号の印刷に失敗しているチケット用紙によるチケットの発行、偽造されたチケット用紙によるチケットの発行を防ぐことが可能となる。
【００４５】
［装置動作及びシステム動作］
次に、本発明の実施の形態におけるチケット管理装置１０及びチケット管理システム４０の動作について図４を用いて説明する。図４は、本発明の実施の形態におけるチケット管理装置の動作を示すフロー図である。以下の説明においては、適宜図１〜図３を参酌する。また、本実施の形態では、チケット管理装置１０を動作させることによって、チケット管理方法が実施される。よって、本実施の形態におけるチケット管理方法の説明は、以下のチケット管理装置１０の動作説明に代える。
【００４６】
まず、前提として、チケット発行端末２０において、ユーザが、情報を入力してチケットの発行を申し込むとする。これにより、チケット用紙供給部２１によって、チケット用紙が、読取部２２へと供給されるので、読取部２２は、チケット用紙に予め印刷されている数字、文字又は２次元コードを読み取って、プレ付加番号を特定し、これをチケット番号通知部２３に渡す。そして、チケット番号通知部２３は、ネットワーク３０を介して、特定されたプレ付加番号を、チケット管理装置１０のチケット番号取得部１１に通知する。
【００４７】
続いて、図４に示すように、チケット管理装置１０において、チケット番号取得部１１は、ネットワーク３０を介して、チケット発行端末２０から、プレ付加番号を取得する（ステップＡ１）。そして、チケット番号取得部１１は、取得したプレ付加番号を、チケット管理装置１０のチケット番号算出部１２に引き渡す。
【００４８】
次に、チケット番号算出部１２は、チケット番号取得部１１からプレ付加番号を受け取ると、予め設定されているルールに沿って番号を算出する（ステップＡ２）。
【００４９】
次に、チケット番号算出部１２は、ステップＡ１で取得されたプレ付加番号と、ステップＡ２で算出した番号（算出番号）とを比較し、両者が一致しているかどうかを判定する（ステップＡ３）。
【００５０】
ステップＡ３の判定の結果、プレ付加番号と算出番号とが一致していない場合は、チケット番号算出部１２は、「プレ付加番号と算出番号とが一致しない」ことを示す判定結果を、検査結果通知部１４に引き渡す。その後、後述のステップＡ７が実行される。
【００５１】
一方、ステップＡ３の判定の結果、プレ付加番号と算出番号とが一致している場合は、チケット番号算出部１２は、受け取ったプレ付加番号を、チケット番号検査部１３に引き渡す。それにより、チケット番号検査部１３は、チケット番号算出部１２から引き渡されたプレ付加番号がチケット番号格納部１６に格納されているかどうかを判定する（ステップＡ４）。
【００５２】
ステップＡ４の判定の結果、プレ付加番号がチケット番号格納部１６に格納されている場合は、チケット番号検査部１３は、「プレ付加番号は登録済である」ことを示す検査結果を、検査結果通知部１４に引き渡す。その後、後述のステップＡ７が実行される。
【００５３】
一方、ステップＡ４の判定の結果、プレ付加番号がチケット番号格納部１６に格納されていない場合、チケット番号検査部１３は、「チケット番号は未使用」であることを示す検査結果を、検査結果通知部１４に引き渡す。また、チケット番号検査部１３は、チケット番号算出部１２から引き渡されたプレ付加番号を、チケット番号登録部１５に引き渡す。その後、ステップＡ５及びＡ６が実行される。
【００５４】
ステップＡ５では、チケット番号登録部１５は、チケット番号検査部１３から引き渡されたプレ付加番号を、チケット番号格納部１６に格納させ、これを登録する。また、ステップＡ６では、検査結果通知部１４は、チケット番号は未使用であることを示す検査結果を、ネットワーク３０を介して、チケット発行端末２０に送信する。これにより、チケット発行端末２０でのチケットの発行が許可される。また、このことから、チケット番号格納部１６に格納される番号は、発行が許可されたチケット２９となるチケット用紙２８に付加されている番号である。
【００５５】
一方、ステップＡ７では、検査結果通知部１４は、チケット番号算出部１２またはチケット番号検査部１３から引き渡された検査結果、即ち「プレ付加番号と算出番号とが一致しない」又は「プレ付加番号は登録済である」ことを示す検査結果を、ネットワーク３０を介してチケット発行端末に送信する。これにより、チケット発行端末２０でのチケットの発行が不許可とされる。
【００５６】
ステップＡ６又はＡ７が実行されると、チケット発行端末２０においては、検査結果取得部２４が、ネットワーク３０を介して、チケット管理装置１０の検査結果通知部１４からの検査結果を受信する。そして、検査結果通知部１４は、受信した検査結果を印字内容通知部２５に引き渡す。
【００５７】
続いて、チケット発行端末２０において、印字内容通知部２５は、検査結果取得部２４から引き渡された検査結果と、保持していた申込内容などの印字要求内容とを、印刷部２６に引き渡す。
【００５８】
印刷部２６は、まず、印字内容通知部２５から引き渡された検査結果を確認する。そして、確認の結果、検査結果が「チケット番号は未使用」であることを示している場合は、印刷部２６は、印字内容通知部２５から引き渡された印字要求内容をチケット用紙２８に印字する。また、印刷部２６は、印字がなされたチケット用紙２８を、チケット２９として、排出口２７から排出する。なお、チケット用紙２８が、上述したように、ロール状の連続した用紙である場合は、印刷部２６は、チケット用紙２８を所定の長さで切り取り、切り取った部分をチケット２９として排出する。
【００５９】
一方、印刷部２６は、検査結果が「チケット番号は未使用以外（使用済）」であることを示している場合は、処理を実行しない。よって、チケット用紙２８に印字要求内容が印字されることはなく、チケット２９が排出口２７から排出されることもない。
【００６０】
［実施の形態における効果］
本実施の形態では、チケット用紙２８に予め付加されている番号とチケット管理装置１０で算出される番号とが一致しているかどうかが判定され、両者が一致していない場合は、チケットは発行されない。従って、チケット用紙に予め付加されている番号に誤りがあったり、同じ番号が重複していたりした場合、両者が一致していないので、チケットが発行されることはない。結果、チケットの不正使用の抑制とチケットの管理の適正化とが図られることになる。
【００６１】
また、チケット用紙が抜き採られた場合も、両者が一致していないと判定されるので、この場合も、チケットの不正使用の抑制とチケットの管理の適正化とが図られる。更に、この場合、判定の結果から、チケット発行端末２０からのチケット用紙２８の物理的な抜き取りの検出が可能となる。
【００６２】
更に、本実施の形態では、チケット用紙に予め付加されている番号は、チケット発行の際に、チケット管理装置１０によって保持されている。このため、既に使用された番号がチケット管理装置１０に通知された場合、チケット管理装置１０は、通知された番号が既に使用されているかどうかを検出することができる。
【００６３】
また、本実施の形態では、チケット用紙に予め付加されている番号と、チケット管理装置１０によって保持されている番号とが、一致しない場合、チケット用紙２８には、印字要求内容は印字されない。結果、既に使用された番号が付加されたチケットの発行が回避され、番号の印刷に失敗しているチケット用紙によるチケットの発行、偽造されたチケット用紙によるチケットの発行を防ぐことが可能となる。
【００６４】
更に、本実施の形態では、チケット用紙２８に予め付加されている番号の番号体系の変更は、チケット管理装置１０のチケット番号算出部１２で採用されるルールの変更によって対応できる。このため、本実施の形態によれば、チケット発行端末２０の数が多い場合であっても、１台のチケット管理装置１０によって、全てのチケット発行端末における番号体系を、一括して短期間で変更できる。
【００６５】
［プログラム］
本実施の形態におけるプログラムは、コンピュータに、図４に示すステップＡ１〜Ａ７を実行させるプログラムであれば良い。このプログラムをコンピュータにインストールし、実行することによって、本実施の形態におけるチケット管理装置１０とチケット管理方法とを実現することができる。この場合、コンピュータのＣＰＵ（Central Processing Unit）は、チケット番号取得部１１、チケット番号算出部１２、チケット番号検査部１３、検査結果通知部１４、及びチケット番号登録部１５として機能し、処理を行なう。
【００６６】
また、本実施の形態におけるプログラムは、複数のコンピュータによって構築されたコンピュータシステムによって実行されても良い。この場合は、例えば、各コンピュータが、それぞれ、チケット番号取得部１１、チケット番号算出部１２、チケット番号検査部１３、検査結果通知部１４、及びチケット番号登録部１５のいずれかとして機能しても良い。また、チケット番号格納部１６は、本実施の形態におけるプログラムを実行するコンピュータとは別のコンピュータ上に構築されていても良い。
【００６７】
ここで、本実施の形態におけるプログラムを実行することによって、チケット管理装置１０を実現するコンピュータについて図５を用いて説明する。図５は、本発明の実施の形態におけるチケット管理装置を実現するコンピュータの一例を示すブロック図である。
【００６８】
図５に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６９】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００７０】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００７１】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００７２】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００７３】
なお、本実施の形態におけるチケット管理装置１０は、プログラムがインストールされたコンピュータではなく、各部に対応したハードウェアを用いることによっても実現可能である。更に、チケット管理装置１０は、一部がプログラムで実現され、残りの部分がハードウェアで実現されていてもよい。
【００７４】
上述した実施の形態の一部又は全部は、以下に記載する（付記１）〜（付記１２）によって表現することができるが、以下の記載に限定されるものではない。
【００７５】
（付記１）
チケットを発行する端末装置から、発行予定のチケットとなるチケット用紙に予め付加されている番号を取得する、チケット番号取得部と、
前記発行予定のチケットに付加されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、ことを特徴とするチケット管理装置。
【００７６】
（付記２）
発行が許可されたチケットとなるチケット用紙に予め付加されている前記番号を格納する、チケット番号格納部を更に備え、
前記チケット番号検査部が、一致していると判定した場合に、取得された前記番号が、前記番号格納部に格納されているかどうかを判定し、
前記検査結果通知部は、一致していると判定され、更に、格納されていないと判定された場合に、前記端末装置に対して、前記発行予定のチケットの発行の許可を通知する、
付記１に記載のチケット管理装置。
【００７７】
（付記３）
前記チケット番号算出部は、既に算出している最新の番号を用いたルールに沿って、前記発行予定のチケットに付加されているべき番号を算出する、
付記１または２に記載のチケット管理装置。
【００７８】
（付記４）
チケットを発行する端末装置と、チケット管理装置とを備え、
前記チケット管理装置は、
前記端末装置から、発行予定のチケットが印刷されるチケット用紙に予め印刷されている番号を取得する、チケット番号取得部と、
前記発行予定のチケットに印刷されているべき番号を算出する、チケット番号算出部と、
取得された番号と算出された番号とを比較して、一致しているかどうかを判定する、チケット番号検査部と、
一致していると判定された場合に、前記端末装置に対して、前記発行予定のチケットの発行の許可を通知する、検査結果通知部と、
を備えている、
ことを特徴とするチケット管理システム。
【００７９】
（付記５）
前記チケット管理装置が、発行が許可されたチケットとなるチケット用紙に予め付加されている前記番号を格納する、チケット番号格納部を更に備え、
前記チケット番号検査部が、一致していると判定した場合に、取得された前記番号が、前記番号格納部に格納されているかどうかを判定し、
前記検査結果通知部は、一致していると判定され、更に、格納されていないと判定された場合に、前記端末装置に対して、前記発行予定のチケットの発行の許可を通知する、
付記４に記載のチケット管理システム。
【００８０】
（付記６）
前記チケット番号算出部は、既に算出している最新の番号を用いたルールに沿って、前記発行予定のチケットに付加されているべき番号を算出する、
付記４または５に記載のチケット管理システム。
【００８１】
（付記７）
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を有する、ことを特徴とするチケット管理方法。
【００８２】
（付記８）
（ｅ）発行が許可されたチケットとなるチケット用紙に予め付加されている前記番号を格納する、ステップと、
（ｆ）前記（ｃ）のステップで一致していると判定した場合に、前記（ａ）のステップで取得された前記番号が、前記（ｅ）のステップで格納されているかどうかを判定する、ステップと、を更に有し、
前記（ｄ）のステップにおいて、一致していると判定され、更に、前記（ｆ）のステップでは格納されていないと判定された場合に、前記端末装置に対して、前記発行予定のチケットの発行の許可を通知する、
付記７に記載のチケット管理方法。
【００８３】
（付記９）
前記（ｂ）のステップにおいて、既に算出している最新の番号を用いたルールに沿って、前記発行予定のチケットに付加されているべき番号を算出する、
付記７または８に記載のチケット管理方法。
【００８４】
（付記１０）
コンピュータに、
（ａ）チケットを発行する端末装置から、発行予定のチケットとなるチケット用紙に予め付加されている番号を取得する、ステップと、
（ｂ）前記発行予定のチケットに付加されているべき番号を算出する、ステップと、
（ｃ）前記（ａ）のステップで取得された番号と前記（ｂ）のステップで算出された番号とを比較して、一致しているかどうかを判定する、ステップと、
（ｄ）前記（ｃ）のステップで一致していると判定された場合に、前記端末装置に対して、前記発行予定のチケットの発行の許可を通知する、ステップと、
を実行させる、プログラム。
【００８５】
（付記１１）
前記コンピュータに、
（ｅ）発行が許可されたチケットとなるチケット用紙に予め付加されている前記番号を格納する、ステップと、
（ｆ）前記（ｃ）のステップで一致していると判定した場合に、前記（ａ）のステップで取得された前記番号が、前記（ｅ）のステップで格納されているかどうかを判定する、ステップと、を更に実行させ、
前記（ｄ）のステップにおいて、一致していると判定され、更に、前記（ｆ）のステップでは格納されていないと判定された場合に、前記端末装置に対して、前記発行予定のチケットの発行の許可を通知する、
付記１０に記載のプログラム。
【００８６】
（付記１２）
前記（ｂ）のステップにおいて、既に算出している最新の番号を用いたルールに沿って、前記発行予定のチケットに付加されているべき番号を算出する、
付記１０または１１に記載のプログラム。
【産業上の利用可能性】
【００８７】
以上のように、本発明によれば、チケットの不正使用の抑制及びチケットの管理の適正化を図ることができる。本発明は、チケット発行端末からチケットを発行するシステムにおいて有用である。
【符号の説明】
【００８８】
１０  チケット管理装置
１１  チケット番号取得部
１２  チケット番号算出部
１３  チケット番号検査部
１４  検査結果通知部
１５  チケット番号登録部
１６  チケット番号格納部
２０  チケット発行端末
２１  チケット用紙供給部
２２  読取部
２３  チケット番号通知部
２４  検査結果取得部
２５  印字内容通知部
２６  印刷部
２７  排出口
２８  チケット用紙
２９  チケット
３０  ネットワーク
４０  チケット管理システム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018073062.tif 000003
【図２】
2018073062.tif 000004
【図３】
2018073062.tif 000005
【図４】
2018073062.tif 000006
【図５】
2018073062.tif 000007